(57)【要約】【課題】刃受の電気的性能低下を防止する。【解決手段】例えば、片方の刃受穴４ｂにだけ栓刃２０１が挿入された場合、栓刃２０１の先端が他方の閉塞部４３の傾斜面４３ａに当接して傾斜面４３ａが押されると摺接部４４の先端を支点として対向部１０２に対して扉４０が傾く。このとき、閉塞部４３の後端が保持部材１００の枠部１０３に干渉することで扉４０の移動が規制されて刃受穴４ａ，４ｂが開放されない。扉４０が傾いた場合に扉４０の閉塞部４２，４３が刃受７ａ，８ａに当たる可能性があるが、本発明によれば、傾いた扉４０がフレーム７１，８１に接触することはあってもばね片７０，８０に接触することがないから、ばね片７０，８０に無理な力がかからないことで刃受７ａ，８ａの電気的性能低下を防ぐことができる。【選択図】図１
2007173125.tif 000002
【特許請求の範囲】
【請求項１】
箱形のボディとカバーを結合してなりカバー前面に２個１組の刃受穴が１乃至複数組設けられた器体と、器体内に収納され前記刃受穴より挿入される栓刃を受ける刃受と、器体内に収納され且つ前記刃受と電気的に接続された複数の端子と、器体内において前記刃受穴を開放する位置と閉塞する位置との間で器体前面と略平行に移動可能に設けられた１乃至複数の扉と、器体内においてカバーとの間で前記扉を移動自在に保持する保持部材と、刃受穴を開放する位置から閉塞する位置に向けて扉を弾性付勢する弾性部材とを備えた扉付きコンセントであって、
前記刃受は、刃受穴から挿入される栓刃を挿入方向と直交する向きで狭持する一対のばね片と、該ばね片を器体前面側で保持するフレームとからなり、
前記フレームは、前記ばね片間の距離よりも広い間隔で互いに対向する一対の側片と、当該一対の側片の端部同士を連結する連結片と、各側片の後端から後方へ延設された一対のつなぎ片とを有し、
これら一対のつなぎ片の後端より前記ばね片がそれぞれ延設されてなり、
前記保持部材は、器体の前後方向と直交する方向から前記側片並びに連結片と対向し且つ前面に扉が摺接する対向部を有し、
前記扉は、１組の刃受穴をそれぞれ閉塞する一対の閉塞部と、前記対向部前面と摺接する摺接部とを有し、該摺接部を支点として器体の前後方向に揺動自在であり且つ前記保持部材に対して傾いたときにカバー若しくは保持部材と干渉して移動が妨げられることを特徴とする扉付きコンセント。
【請求項２】
前記保持部材は、扉の移動方向と直交する方向から扉に当接する段部が前面に設けられたことを特徴とする請求項１記載の扉付きコンセント。
【請求項３】
前記保持部材は、扉の移動方向と直交する方向から前記摺接部に当接するガイドリブが前面に設けられたことを特徴とする請求項１記載の扉付きコンセント。
【請求項４】
前記保持部材は、前記刃受のフレームに前方から当接する当接部を有することを特徴とする請求項１〜３の何れかに記載の扉付きコンセント。
【発明の詳細な説明】
【技術分野】
【０００１】
本発明は、扉付きコンセントに関するものである。
【背景技術】
【０００２】
従来より、刃受穴を自動的に遮蔽する扉を有した扉付きコンセントが提供されている（例えば、特許文献１参照）。図２０は従来の扉付きコンセントの断面図を示しており、この従来例は、箱形のボディ２２０ａとカバー２２０ｂを結合してなりカバー２２０ｂ前面に２個１組の刃受穴２２１が１乃至複数組設けられた器体２２０と、器体２２０内に収納され刃受穴２２１より挿入される栓刃（平型栓刃）を受ける刃受２３０と、器体２２０内に収納され且つ刃受２３０と電気的に接続された複数の端子（図示せず）と、器体２２０内において刃受穴２２１を開放する位置と閉塞する位置との間で器体２２０前面と略平行に移動可能に設けられた一対の扉２４０，２４０と、器体２２０内においてカバー２２０ｂとの間で扉２４０，２４０を移動自在に保持する保持部材２５０と、刃受穴２２１を開放する位置から閉塞する位置に向けて扉２４０，２４０を弾性付勢する一対の弾性部材２５１，２５１とを備えている。ここで、刃受２３０は、刃受穴２２１から挿入される栓刃を挿入方向と直交する向きで狭持する一対のばね片２３１，２３１と、ばね片２３１，２３１を保持するフレーム２３２とからなり、フレーム２３２に対して一対のばね片２３１，２３１が器体２２０内の前方（図２０における上方）に配置されている。なお、一対のばね片２３１，２３１の先端部分は互いに離れる向きに折り曲げられ、刃受穴２２１に挿入される栓刃の先端を一対のばね片２３１，２３１の間に誘い込むようになっている。
【０００３】
かかる従来例においては、１組の刃受穴２２１，２２１に差込プラグの一対の栓刃が同時に挿入されると一対の扉２４０，２４０が栓刃に押されて移動するために一対の栓刃がそれぞれ刃受２３０，２３０と接触可能であるが、差込プラグの片方の栓刃だけが刃受穴２２１に挿入された場合、片方の扉２４０しか移動しないためにもう片方の扉２４０が邪魔をして栓刃が刃受２３０と接触しないように保護されている。また、別の従来例として１つの扉で１組の刃受穴を遮蔽するようにしたものもある。
【特許文献１】特開平９−３２０６７８号公報
【発明の開示】
【発明が解決しようとする課題】
【０００４】
ところで、１つの扉で１組の刃受穴を遮蔽する従来例においては、差込プラグの片方の栓刃だけが刃受穴に挿入された場合、扉が前後方向（栓刃の挿入方向）に傾くことで保持部材やカバーと干渉し、その結果、扉の移動が規制されるために片方の栓刃のみが刃受と接触しないように保護されている。しかしながら、かかる従来例において、傾いた扉が刃受（ばね片）と接触することがあり、ばね片に無理な力がかかって変形等の不具合が生じて刃受の電気的性能が低下する虞があった。
【０００５】
本発明は上記事情に鑑みて為されたものであり、その目的は、刃受の電気的性能低下を防止した扉付きコンセントを提供することにある。
【課題を解決するための手段】
【０００６】
請求項１の発明は、上記目的を達成するために、箱形のボディとカバーを結合してなりカバー前面に２個１組の刃受穴が１乃至複数組設けられた器体と、器体内に収納され前記刃受穴より挿入される栓刃を受ける刃受と、器体内に収納され且つ前記刃受と電気的に接続された複数の端子と、器体内において前記刃受穴を開放する位置と閉塞する位置との間で器体前面と略平行に移動可能に設けられた１乃至複数の扉と、器体内においてカバーとの間で前記扉を移動自在に保持する保持部材と、刃受穴を開放する位置から閉塞する位置に向けて扉を弾性付勢する弾性部材とを備えた扉付きコンセントであって、前記刃受は、刃受穴から挿入される栓刃を挿入方向と直交する向きで狭持する一対のばね片と、該ばね片を器体前面側で保持するフレームとからなり、前記フレームは、前記ばね片間の距離よりも広い間隔で互いに対向する一対の側片と、当該一対の側片の端部同士を連結する連結片と、各側片の後端から後方へ延設された一対のつなぎ片とを有し、これら一対のつなぎ片の後端より前記ばね片がそれぞれ延設されてなり、前記保持部材は、器体の前後方向と直交する方向から前記側片並びに連結片と対向し且つ前面に扉が摺接する対向部を有し、前記扉は、１組の刃受穴をそれぞれ閉塞する一対の閉塞部と、前記対向部前面と摺接する摺接部とを有し、該摺接部を支点として器体の前後方向に揺動自在であり且つ前記保持部材に対して傾いたときにカバー若しくは保持部材と干渉して移動が妨げられることを特徴とする。
【０００７】
請求項２の発明は、請求項１の発明において、前記保持部材は、扉の移動方向と直交する方向から扉に当接する段部が前面に設けられたことを特徴とする。
【０００８】
請求項３の発明は、請求項１の発明において、前記保持部材は、扉の移動方向と直交する方向から前記摺接部に当接するガイドリブが前面に設けられたことを特徴とする。
【０００９】
請求項４の発明は、請求項１〜３の何れかの発明において、前記保持部材は、前記刃受のフレームに前方から当接する当接部を有することを特徴とする。
【発明の効果】
【００１０】
請求項１の発明によれば、差込プラグの片方の栓刃だけが刃受穴に挿入された場合、扉が前後方向に傾くことで保持部材あるいはカバーと干渉して扉の移動が規制され、片方の栓刃のみが刃受と接触しないように保護され、また、傾いた扉はフレームに接触することはあってもばね片に接触することがないから、ばね片に無理な力がかからないことで刃受の電気的性能低下を防ぐことができる。しかも、扉が摺接する保持部材の対向部と刃受のフレームを構成する側片並びに連結片とが器体の前後方向と直交する方向から見て重なるように器体内に配置されているから、扉並びに保持部材を収納しているにもかかわらず器体の前後方向の奥行き寸法の増加を抑えることができる。
【００１１】
請求項２の発明によれば、段部にガイドされることで扉がスムーズに移動できる。
【００１２】
請求項３の発明によれば、ガイドリブにガイドされることで扉がスムーズに移動できる。
【００１３】
請求項４の発明によれば、栓刃の引き抜き時に刃受が前方へ移動するのを防ぐことができる。
【発明を実施するための最良の形態】
【００１４】
以下、図面を参照して本発明の実施形態を詳細に説明する。なお、本実施形態では、２極接地極付の連用形扉付きコンセント（定格１５Ａ  １２５Ｖ）の１種で２極接地極付の差込プラグがそれぞれ差込接続される差込口を２つ有するとともにアース線が接続されるアースターミナル付きのものを例示するが、これに限定する趣旨ではなく、差込口が１つあるいは３つ以上であるものやアースターミナル無しのものであってもよく、あるいは連用形に限らず露出型や埋込型のコンセントにも本発明の技術思想が適用可能である。
【００１５】
図１は本実施形態の分解斜視図であり、合成樹脂製の箱形のボディ１ａとカバー１ｂとを金属製の組立枠２により結合して器体１を構成している。この組立枠２は、所謂埋込ボックス（スイッチボックス）等に取り付けるための取付枠を兼ねるものであって、日本工業規格（ＪＩＳ）において規格化されている一連の取付枠（ＪＩＳ  Ｃ  ８３７５  大角形連用配線器具の取付枠）とほぼ同一の形状及び寸法に形成されている。一方、器体１は、上記規格化された一連の取付枠に３個まで取り付けることのできる単位寸法の配線器具の３個分の寸法（３個モジュール寸法という。）に形成されており、ボディ１ａ及びカバー１ｂの両側面に突設された凸部３ａ，３ｂが、組立枠２の両側片２ａ，２ａから各々一対ずつ突設されている略Ｕ形の突出片２ｂ…の内側周縁に係止されることによって、ボディ１ａとカバー１ｂとが組立枠２により固定されて器体１が組み立てられている。なお、組立枠２の長手方向に対向する取付片２ｃ，２ｃには、上記埋込ボックスに取り付けるためのボックスねじ用の長孔２ｄ，２ｄと、壁を構成する石膏ボードなどに取り付けるための従来周知のはさみ金具（図示せず）が取着される取着孔２ｅ，２ｅと、前面にプレート（図示せず）等を取り付けるためのプレートねじ用のねじ孔２ｆ，２ｆと、壁材などに組立枠２を直に取り付ける際の取付ねじ等が挿通されるねじ挿通孔２ｇ…とが少なくとも設けてある。
【００１６】
カバー１ｂの前面（器体１の前面）には、一対の刃受穴４ａ，４ｂと接地極用の刃受穴４ｃからなる差込口４が長手方向に２組設けてあり、２極接地極付の差込プラグ２００（図１０参照）を２個同時に接続できるようになっている。また、カバー１ｂの前面に配設された２組の差込口４の下側にはアース線が接続されるアースターミナル５が配設され、アースターミナル５の前面を覆い隠すアースターミナル用扉６がカバー１ｂに開閉自在に取り付けられている。
【００１７】
一方、器体１の内部には、２組の刃受穴４ａ，４ｂ，４ｃから挿入された電圧側及び接地側の栓刃（平型栓刃）及び接地極の刃と各別に電気的及び機械的に接続される一対の接地側刃受７ａ，７ａ、電圧側刃受８ａ，８ａ並びに接地刃受９ａ，９ａが、各刃受穴４ａ，４ｂ，４ｃの奥に位置するように収納されている。ここで、接地側刃受７ａ，７ａは、板状の金属部材を加工することで接地側端子板１０の両端に一体形成される。同様に、電圧側刃受８ａ，８ａも、板状の金属部材を加工することで電圧側端子板１０の両端に一体形成される。そして、接地側刃受７ａ，７ａと接地側端子板１０とで接地側刃受ブロック７が構成されるとともに、電圧側刃受８ａ，８ａと電圧側端子板１０とで電圧側刃受ブロック８が構成されている。なお、これら接地側刃受ブロック７と電圧側刃受ブロック８とは、全く同一の形状を有している。
【００１８】
接地側刃受７ａ並びに電圧側刃受８ａ（以下、代表して刃受８ａと呼ぶ。）は、図２に示すように刃受穴４ｂから挿入される栓刃を挿入方向と直交する向きで狭持する一対のばね片８０，８０と、これら一対のばね片８０，８０を器体１の前面側で保持するフレーム８１とからなる。フレーム８１は、ばね片８０，８０間の距離よりも広い間隔で互いに対向する一対の側片８２，８２と、これら一対の側片８２，８２の端部同士を連結する連結片８３とが略Ｕ字形状に形成されてなり、各側片８２，８２の刃受穴４ｂと反対側の後端からそれぞれつなぎ片８４，８４が後方（図２における下方）へ延設されている。これら一対のつなぎ片８４，８４は、後方に向かって互いに近づく向きに傾斜し、各つなぎ片８４，８４の先端（後端）から各々ばね片８０，８０が後方へ延設されている。なお、フレーム８１は、一方の側片８２の先端から延設されたリード片８５によって電圧側端子板１０と連結されており、他方の側片８２の先端が自由端、つまり、当該他方の側片８２が連結片８３で片持ち支持されている。
【００１９】
一方、接地刃受９ａ，９ａは、同じく板状の金属部材を加工することによって、橋絡片（図示せず）の両端に一体形成される。また、橋絡片の一端側には接地極用の端子（速結端子）を構成する一対の接地端子板１０’が一体形成されており、接地刃受９ａ，９ａと橋絡片と接地端子板１０’とで接地刃受ブロック９が構成されている。また、一対の接地端子板１０’にはねじ端子金具５ａがかしめ固定され、ねじ端子金具５ａとねじ５ｂと座金５ｃとでアースターミナル５が構成されている。
【００２０】
アースターミナル用扉６は、可撓性を有する樹脂等から形成されており、先端がカバー１ｂの挿入口１ｃ，１ｃ（図５参照）に挿入されて、カバー１ｂに係止離脱自在に係止される係止片６ａ，６ａと、ヒンジ部６ｂ，６ｂを介して係止片６ａ，６ａに接続されるとともに、カバー１ｂの前面端部に設けられた開口部１ｄを開閉自在に覆う覆い部６ｃとから構成される。覆い部６ｃは、薄肉状のヒンジ部６ｂ，６ｂにより、係止片６ａ，６ａに対して曲げ伸ばし自在となっている。すなわち、アースターミナル用扉６の覆い部６ｃは、係止片６ａ，６ａに対して伸ばしたり折り曲げたりすることにより、カバー１ｂの開口部１ｄを開閉することができるようになっており、閉じた時にアースターミナル５を覆い隠すようになっている。
【００２１】
端子板１０は、短冊状の主片１１と、主片１１の長手方向に沿った一方の端縁から後方へ垂下された一対の接触片１２と、主片１１の長手方向に沿った他方の端縁から後方へ垂下された当接片１３とを有し、弾性を有する帯状の金属板を加工して主片１１、接触片１２、当接片１３が一体に形成される（図２参照）。接触片１２には電線の挿入方向に沿った両端部において電線を押圧する一対の押圧部１２ａ，１２ｂと、上側の押圧部１２ｂの先を当接片１３から離れる向きに曲げ起こしてなる被係止部１２ｃとが設けられ、押圧部１２ｂと主片１１の間には、ボディ１ａの底壁に貫設されている電線挿入孔（図示せず）と対向し電線が挿通される挿通部１４が形成されている。錠ばね２０は、図３（ｂ）に示すように弾性を有する帯状の金属板を略Ｊ字状に曲げ加工してなり、端子板１０の主片１１並びに当接片１３に当接する鈎形の導通片２１と、導通片２１の下端より略Ｕ字状に曲げ形成されたばね片２２とを有し、電線に当接して抜け止めするばね片２２の先端が鎖錠部となる。また、ばね片２２には電線から離れる向き（導通片２１に近づく向き）に凸となる曲げ部２２ａが設けられている。かかる錠ばね２０は、主片１１と当接片１３に導通片２１を当接させるとともにばね片２２を接触片１２と対向させる形で端子板１０の内側に配置される。
【００２２】
上述のように構成される接地側刃受ブロック７並びに電圧側刃受ブロック８は、ボディ１ａの長手方向略中央において短手方向両端にそれぞれ設けられた端子板収納室９０ａ，９０ａに端子板１０並びに錠ばね２０が収納されるとともに、端子板収納室９０ａ，９０ａからボディ１ａの長手方向両側に設けられた刃受収納室９０ｂ，９０ｂに一対の刃受７ａ，８ａがそれぞれ収納される（図１参照）。ここで、端子板１０，１０’と、錠ばね２０と、解除レバー３０と、補助ばね５０とで外部の電線を刃受７ａ，８ａ，９ａに接続するための端子（いわゆるねじなし端子あるいは速結端子と呼ばれる。）が構成されている。そして、ボディ１ａの底面に貫設された電線挿入孔（図示せず）から挿入される電線を端子板１０の接触片１２と錠ばね２０のばね片２２との間で狭持するとともに鎖錠部（ばね片２２の先端）を電線に当接することで前記端子に電線を接続し且つ抜け止めすることができる。
【００２３】
解除レバー３０は合成樹脂成形品からなり、棒状の操作部３１と、矩形板状の係止部３２と、操作部３１と係止部３２の長手方向両端同士を連結する連結部３３，３３と、連結部３３，３３より各々側方へ突出する腕部３４，３４と、腕部３４，３４の先端部分より内側に突出する軸部３５，３５と、軸部３５，３５先端面の中央寄りの位置から突出する突台状の押動部３６，３６とが一体に形成されている。そして、軸部３５，３５先端面の外側の部分と押動部３６，３６の外側の面とで補助ばね５０を位置決めするための位置決め部（図示せず）が構成されている。
【００２４】
ここで本実施形態では、各端子板１０，１０'に対して送り配線用を含めて前記端子がそれぞれ２つずつ設けられ、これら２つの端子がボディ１ａの各端子板収納室９０ａに並べて収納される。ボディ１ａの側面には端子板収納室９０ａと通じる複数の縦溝９３が設けられており、隣り合う一対の縦溝９３，９３を通して連結部３３並びに操作部３１が器体１の外に配置された状態で解除レバー３０がボディ１ａに取り付けられる。ボディ１ａ内で一対の縦溝９３，９３と電線挿入孔とに挟まれた部位には、解除レバー３０の回動時に軸部３５，３５を支持する一対の支持用リブ（図示せず）が設けられている。
【００２５】
補助ばね５０は、図３（ｂ）に示すように帯板状のばね材を曲げ加工してなり、器体１（ボディ１ａ）の内部壁に当接する当接片５１と、先端近傍で解除レバー３０に当接するばね片５２と、ばね片５２と当接片５１とを連結する略Ｕ字形状の連結片５３と、当接片５１の先端から突出する鈎形の突片５４とを有する。またばね片５２は、解除レバー３０に当接する部位よりも先端側が解除レバー３０から離れる向きに曲げられ、さらに前記当接部位よりも連結片５３寄りの部位で解除レバー３０から離れる向きに屈曲してなる。かかる補助ばね５０は、錠ばね２０とともに端子板１０の内側に配置され、ばね片５２の先端部５２ａが解除レバー３０の腕部３４に設けられている位置決め部に位置決めされて解除レバー３０を反操作方向に弾性付勢することになる。
【００２６】
電線が接続されていない状態においては、係止部３２が端子板１０の被係止部１２ｃに係止（ラッチ）する回動位置まで解除レバー３０が回動させてある（以下、この回動位置を「初期位置」と呼ぶ）。解除レバー３０が初期位置にあるときは錠ばね２０のばね片２２の両端部が一対の押動部３６，３６に押動されて鎖錠部（ばね片２２の先端）が接触片１２から離れる向きに撓んだ状態にある。このときばね片２２のばね力と補助ばね５０のばね力によって解除レバー３０が反操作方向に弾性付勢されるが、係止部３２が端子板１０の被係止部１２ｃに係止しているために解除レバー３０は初期位置に保持されることになる。
【００２７】
そして、電線挿入孔を通して電線を接触片１２とばね片２２との間に導入すると、挿通部１４を通して電線の先端が解除レバー３０の係止部３２に当接し、係止部３２を押し上げて係止部３２と被係止部１２ｃとのラッチ状態を解除する。すると、ばね片２２並びに補助ばね５０のばね力で弾性付勢されていた解除レバー３０が反操作方向に回動し、ばね片２２先端の鎖錠部が電線に当接することによって電線が抜け止めされるとともにばね片２２のばね力によって電線が接触片１２に弾接する。さらに電線は一対の押圧部１２ａ，１２ｂによってばね片２２の方へ押圧され、鎖錠部と一対の押圧部１２ａ，１２ｂの押圧力が均衡して電線が狭持される。また被係止部１２ｃとの係止が外れる際に係止部３２が被係止部１２ｃに弾かれて音が発生する。ここで、端子板１０の主片１１には電線の先端を挿通部１４に案内するための案内部が設けられており、この案内部によって電線を確実に挿通部１４に挿通させることができる。
【００２８】
一方、電線が接続された状態で操作部３１を前方（図３における上方）へ押し上げるように操作すれば、支持用リブに支持された軸部３５，３５を支点にして解除レバー３０が接続時と反対方向に回動し、押動部３３，３３が錠ばね２０のばね片２２を押圧して電線に当接している鎖錠部（ばね片２２の先端）を電線から離すようにばね片２２を撓ませて電線の引き抜きが可能となる。
【００２９】
而して、端子板１０と電線との接続が完了すると解除レバー３０の操作部３１が初期位置よりも後方（図３における下方）の位置に移動することで電線の接続完了表示を視覚的に確認することができるとともに、係止部３２が被係止部１２ｃに弾かれて発生する音によって聴覚的にも確認することができ、しかも、電線の接続を解除するための解除レバー３０を電線の接続完了表示に兼用することで部品点数の増加を抑えることができる。
【００３０】
次に、差込口４の刃受穴４ａ，４ｂを自動的に遮蔽する扉４０について説明する。
【００３１】
扉４０は、図１並びに図４に示すように扁平な矩形板状の合成樹脂成形品からなり、一方の刃受穴４ａを開放する位置において他方の刃受穴４ｂと前後方向に重なる透け穴４１が略中央部に貫設されており、透け穴４１を挟んで対向する両端部がそれぞれ刃受穴４ａ，４ｂを閉塞する閉塞部４２，４３となる。ここで、閉塞部４２，４３の前面には、図９に示すように前方から後方に向かって外側又は透け穴４１に近づく向きの傾斜面４２ａ，４３ａがそれぞれ形成されている。また、扉４０背面（図４における上面）の長手方向略中央における透け穴４１の両側には、後方（図４における上方）に向かって山形に突出し先端部分で後述する保持部材１００に摺接する一対の摺接部４４，４４が一体に設けられている。さらに、扉４０前面（図１における上面）の中央部には、一部で透け穴４１と連通する凹所４５が形成されている。すなわち、カバー１ｂの内底面における刃受穴４ｂの近傍に薄板状の嵌合突起１ｆが後方に向かって突設されており、この嵌合突起１ｆを透け穴４１に嵌合する形で扉４０がカバー１ｂに取り付けられる（図５及び図９参照）。このとき、嵌合突起１ｆの幅寸法が扉４０の長手方向における透け穴４１の幅寸法よりも小さくなっているから、その寸法差の分だけカバー１ｂに対して扉４０が平行に移動可能である。なお、他方の刃受穴４ａの近傍には扉４０の閉塞部４２側の先端に当接して嵌合突起１ｆとともに扉４０の移動範囲を規制する一対の規制リブ１ｇ，１ｇが後方に向かって突設されている（図５及び図８参照）。
【００３２】
保持部材１００は、図１、図６、図７に示すように扁平な矩形板状である主部１０１と、主部１０１の両側面から外側へ突出する一対の対向部１０２，１０２と、対向部１０２を囲むように両端部が主部１０１の側面に連結されるとともに中央部が対向部１０２の先端に連結された略コ字状の枠部１０３，１０３とが一体に形成された合成樹脂成形品からなる。そして、図９に示すように対向部１０２と枠部１０３に囲まれた空間に刃受７ａ，８ａのフレーム７１，８２を収納する形でカバー１ｂの内側に保持部材１００が収納され、保持部材１００によってカバー１ｂとの間に扉４０，４０が移動自在に保持される。ここで、対向部１０２，１０２の前面にそれぞれ扉４０，４０の摺接部４４，４４が先端で摺接し（図３（ａ）及び図９参照）、後述するように一対の閉塞部４２，４３が同時に栓刃で押されたときに対向部１０２，１０２の前面を摺接部４４，４４（扉４０）が摺動し、片方の閉塞部４２又は４３のみが押されたときには摺接部４４の先端を支点として対向部１０２（保持部材１００）に対して扉４０が傾くようになっている。また、扉４０，４０は、閉塞部４２，４３が刃受穴４ａ，４ｂを開放する位置から閉塞する位置に向けて板ばねからなる弾性部材１１０により弾性付勢されている。この弾性部材１１０は、カバー１ｂ内壁部に取り付けられる主片１１１と、主片１１１の両端から延設され先端部が扉４０，４０の閉塞部４３の外側面に当接する一対のばね片１１２，１１２とを有するものであり、ばね片１１２，１１２のばね力で扉４０，４０を弾性付勢している（図５参照）。。
【００３３】
主部１０１には前後方向に貫通する一対の貫通穴１０１ａ，１０１ａが長手方向に並設されており、器体１前面においてアースターミナル５から遠い位置にある差込口４の接地極用刃受穴４ｃに挿通された接地極の刃が一方の貫通穴１０１ａを通して刃受９ａに接続可能となっている。但し、主部１０１には一対の貫通穴１０１ａ，１０１ａが長手方向に並設されているため、保持部材１００が１８０°反転した状態でカバー１ｂの内側に収納されたときでも他方の貫通穴１０１ａが接地極用の刃受穴４ｃと刃受９ａとの間に配置されることになり、カバー１ｂに対する保持部材１００の組み付け方向が規制されないようになっている。また、主部１０１背面における短手方向の両端部からは後方へ突出して端子板収納室９０ａ，９０ａに収納されている端子板１０，１０を前方から押さえる押さえ部１０１ｂ，１０１ｂが突設されている（図３（ａ）参照）。なお、枠部１０３，１０３の外側面には、カバー１ｂの内側壁に設けられている複数の嵌合溝１ｈ（図８参照）と各々嵌合する複数の嵌合突起１０３ａが突設されている。つまり、これら複数の嵌合突起１０３ａをそれぞれ嵌合溝１ｈに嵌合することでカバー１ｂに対する保持部材１００の位置決め並びに仮保持が可能となっている。
【００３４】
而して、図１０（ａ）に示すように差込口４の刃受穴４ａ，４ｂに差込プラグ２００の両極の栓刃２０１，２０１が同時に挿入されると、栓刃２０１，２０１の先端が各々閉塞部４２，４３の傾斜面４２ａ，４３ａに当接し、栓刃２０１，２０１に傾斜面４２ａ，４３ａが押されることで弾性部材１１０のばね片１１２のばね力に抗して扉４０が平行移動し、図１０（ｂ）に示すように扉４０の閉塞部４２，４３で閉塞されていた刃受穴４ａ，４ｂが開放されて栓刃２０１，２０１を刃受７ａ，８ａに接続することができる。また、差込プラグ２００を引き抜くと弾性部材１１０のばね片１１２のばね力によって扉４０が逆向きに平行移動して刃受穴４ａ，４ｂを閉塞する位置に復帰し、刃受穴４ａ，４ｂを通して器体１内に異物が侵入するのを防ぐことができる。一方、片方の刃受穴４ａにだけ栓刃２０１（あるいは、異物）が挿入された場合、栓刃２０１の先端が一方の閉塞部４２の傾斜面４２ａに当接して傾斜面４２ａが押されると、図１１（ａ）に示すように摺接部４４の先端を支点として対向部１０２（保持部材１００）に対して扉４０が傾き、閉塞部４３の前端がカバー１ｂ内底面に形成されているストッパ１ｉと干渉することで扉４０の移動が規制されて刃受穴４ａ，４ｂが開放されない。また、もう片方の刃受穴４ｂにだけ栓刃２０１（あるいは、異物）が挿入された場合、栓刃２０１の先端が他方の閉塞部４３の傾斜面４３ａに当接して傾斜面４３ａが押されると、図１１（ｂ）に示すように摺接部４４の先端を支点として対向部１０２（保持部材１００）に対して扉４０が傾き、閉塞部４３の後端が保持部材１００の枠部１０３に干渉することで扉４０の移動が規制されて刃受穴４ａ，４ｂが開放されない。つまり、何れか一方の刃受穴４ａ，４ｂにだけ栓刃２０１が挿入されても扉４０が平行移動せずに刃受穴４ａ，４ｂが開放されないから、片方の栓刃２０１のみが刃受７ａ又は８ａと接触しないように保護されている。ここで、扉４０が傾いた場合に扉４０の閉塞部４２，４３が刃受７ａ，８ａに当たる可能性があるが、本発明によれば、傾いた扉４０がフレーム７１，８１に接触することはあってもばね片７０，８０に接触することがないから、ばね片７０，８０に無理な力がかからないことで刃受７ａ，８ａの電気的性能低下を防ぐことができる。しかも、扉４０が摺接する保持部材１００の対向部１０２，１０２と刃受７ａ，８ａのフレーム７１，８１を構成する側片７２，８２並びに連結片７３，８３とが器体１の前後方向と直交する方向（図９における左右方向）から見て重なるように器体１内に配置されているから、扉４０並びに保持部材１００を収納しているにもかかわらず器体１の前後方向（図９における上下方向）の奥行き寸法の増加を抑えることができる。
【００３５】
ところで、差込プラグ２００を差込口４から引き抜くときに刃受７ａ，８ａに前方への力が加わるが、本実施形態では刃受７ａ，８ａのリード片７５，８５の前端が保持部材１００の枠部１０３，１０３に当接しているため（図３（ａ）参照）、差込プラグ２００（栓刃２０１，２０１）の引き抜き時に刃受７ａ，８ａが前方へ移動するのを防ぐことができる。また、図１２に示すように枠部１０３，１０３の前面に対向部１０２，１０２前面と面一になる段部１０３ｂ，１０３ｂを形成すれば、扉４０，４０の一方の摺接部４４に対して扉４０の移動方向と直交する方向（図１２における左右方向）から段部１０３ｂ，１０３ｂが当接し、段部１０３ｂ，１０３ｂにガイドされることで扉４０，４０がスムーズに移動できるようになる。あるいは、図１３に示すように対向部１０２，１０２の前面に、扉４０，４０の移動方向と直交する方向（保持部材１００の長手方向）から扉４０，４０の摺接部４４，４４に当接するガイドリブ１０２ａ，１０２ａを突設すれば、ガイドリブ１０２ａ，１０２ａにガイドされることで扉４０，４０がスムーズに移動できるようになる。
【００３６】
ところで、扉４０，４０は保持部材１００の対向部１０２，１０２前面に摺接して平行移動するから、主部１０１と対向部１０２，１０２のみでもカバー１ｂとの間で扉４０，４０を保持することが可能である。したがって、図１４に示すように２つある枠部１０３の一方を削除した保持部材１００’としたり、あるいは図１５及び図１６に示すように一対の枠部１０３，１０３を双方とも削除した保持部材１００”としても構わない。但し、上述のように一方又は両方の枠部１０３を削除した場合、一方の刃受穴４ｂにのみ栓刃２０１が挿入されて扉４０が傾いたときに扉４０の閉塞部４３の後端と干渉して扉４０の移動を規制するための突片１０４が枠部１０３の代わりに設けられる。
【００３７】
また、本実施形態では解除レバー３０を手動で操作して端子から電線を取り外すようになっているが、手動操作だけでなくドライバなどの工具を使っても操作可能な解除レバーを設けても構わない。図１７〜図１９はこのように手動操作と工具を使った操作の双方が可能な解除レバー１２０並びに当該解除レバー１２０を搭載するコンセントの一例を示している。この解除レバー１２０は、矩形平板状の第１の操作部１２１と、第１の操作部１２１の背面から操作方向に沿って突出する脚片１２２と、脚片１２２の先端近傍から第１の操作部１２１と平行に突出する一対の押動部１２３，１２３と、脚片１２２の先端から押動部１２３，１２３と異なる方向に突出する第２の操作部１２４とが一体に形成された合成樹脂成形品からなり、ボディ１ａの側面に設けられた縦溝９３’に脚片１２２が挿通され且つ第１の操作部１２１が器体１の外に露出した状態で押動部１２３，１２３並びに第２の操作部１２４を端子板収納室９０ａに収納する形で器体１に取り付けられる。また、図示例は電線が端子に接続されたことを表示（接続完了表示）するための表示部材１３０が器体１内に収納されている。表示部材１３０は、四角柱状の表示体１３１，１３１と、後述するように電線の先端が当接する当接片１３２，１３２と、略Ｍ字形であって両端に当接片１３２並びに表示体１３１が連結されたばね体１３３とが一体に形成された合成樹脂成形品からなり、器体１（ボディ１ａ）の底面に貫設されている挿通孔１４０，…からそれぞれ表示体１３１，１３１の先端部分を突出させるようにして器体１内に収納される（図１７参照）。
【００３８】
而して、図１９（ａ）に示すように電線が接続されていない状態では表示部材１３０の表示体１３１の先端部分が挿通孔１４０を通して器体１の外に突出しているが、図１９（ｂ）に示すように電線２１０の心線２１１が器体１（ボディ１ａ）の底面に貫設されている電線挿入孔１４１に挿入されて端子板１０と接続されると、表示部材１３０の当接片１３２に心線２１１の先端が当接し、ばね体１３３のばね力に抗して当接片１３２並びに表示体１３１が前方へ移動する。その結果、電線２１０が端子に接続された状態（接続完了状態）では表示部材１３０の表示体１３１が挿通孔１４０から突出しなくなって接続完了表示を行うことができる。一方、電線２１０が接続された状態で第１の操作部１２１を指で押操作すれば、解除レバー１２０の押動部１２３が錠ばね（図示例では端子板１０と一体に形成されている）の鎖錠部を心線２１１から離すように撓ませて電線２１０の引き抜きが可能となり、電線２１０が引き抜かれるとばね体１３３のばね力によって表示体１３１の先端部分が挿通孔１４０から突出して元の状態に戻る。ここで、器体１（ボディ１ａ）底面における解除レバー１２０の第２の操作部１２４と対向する位置には操作孔１４２が貫設されており、この操作孔１４２に挿通した工具（例えば、プラスドライバ）の先端で第２の操作部１２４を押し動かすと、第１の操作部１２１を指で押操作したときと同様に解除レバー１２０の押動部１２３が錠ばねの鎖錠部を心線２１１から離すように撓ませて電線２１０の引き抜きが可能である。
【図面の簡単な説明】
【００３９】
【図１】本発明の実施形態を示す分解斜視図である。
【図２】同上における刃受ブロックの斜視図である。
【図３】（ａ）（ｂ）は同上の断面図である。
【図４】同上における扉の後方から見た斜視図である。
【図５】同上におけるカバー、扉、弾性部材の背面図である。
【図６】同上における保持部材を示し、（ａ）は正面図、（ｂ）は背面図である。
【図７】同上における保持部材を示し、後方から見た斜視図である。
【図８】同上におけるカバーを示し、後方から見た斜視図である。
【図９】同上の断面図である。
【図１０】同上における扉の動作説明図である。
【図１１】同上における扉の動作説明図である。
【図１２】同上における保持部材の他の構成を示す斜視図である。
【図１３】同上における保持部材のさらに他の構成を示す斜視図である。
【図１４】別の構成の保持部材を備えた同上の分解斜視図である。
【図１５】さらに別の構成の保持部材を備えた同上の分解斜視図である。
【図１６】同上におけるさらに別の構成の保持部材を示し、（ａ）は正面図、（ｂ）は背面図である。
【図１７】別構成の端子を備えた同上の背面から見た斜視図である。
【図１８】別構成の端子を備えた同上の一部省略した分解斜視図である。
【図１９】別構成の端子を備えた同上の電線接続時の動作説明図である。
【図２０】従来例の断面図である。
【符号の説明】
【００４０】
１  器体
１ａ  ボディ
１ｂ  カバー
４  差込口
４ａ  刃受穴
４ｂ  刃受穴
４ｃ  接地極用刃受穴
７  接地側刃受ブロック
７ａ  接地側刃受
８  電圧側刃受ブロック
８ａ  電圧側刃受
４０  扉
４１  透け穴
４２  閉塞部
４３  閉塞部
４４  摺接部
８０  ばね片
８１  フレーム
８２  側片
８３  連結片
８４  つなぎ片
８５  リード片
１００  保持部材
１０１  主部
１０２  対向部
１１０  弾性部材
【図１】
2007173125.tif 000003
【図２】
2007173125.tif 000004
【図３】
2007173125.tif 000005
【図４】
2007173125.tif 000006
【図５】
2007173125.tif 000007
【図６】
2007173125.tif 000008
【図７】
2007173125.tif 000009
【図８】
2007173125.tif 000010
【図９】
2007173125.tif 000011
【図１０】
2007173125.tif 000012
【図１１】
2007173125.tif 000013
【図１２】
2007173125.tif 000014
【図１３】
2007173125.tif 000015
【図１４】
2007173125.tif 000016
【図１５】
2007173125.tif 000017
【図１６】
2007173125.tif 000018
【図１７】
2007173125.tif 000019
【図１８】
2007173125.tif 000020
【図１９】
2007173125.tif 000021
【図２０】
2007173125.tif 000022